(57)【要約】      （修正有）【課題】独立して使用する形態と、連結して使用する形態とを選択できるのみならず、連結して使用する形態のバリエーションが豊富な連結型ポーチ、連結型ポーチと連結可能な支持用バンド，鞄，被連結物を提供する。【解決手段】第１連結型ポーチ１は、物品出し入れ用の開口部を有するポーチ本体３を備え、ポーチ本体の左端辺にスライダー５ｃ付きのファスナー片５ａを備え、ポーチ本体の右端辺に蝶棒５ｄ付きのファスナー片５ｂを備え、同様に構成される第２連結型ポーチ２に左右両側で連結されるのみならず、同様に構成される支持用バンドや鞄やその他の被連結物とも連結可能である。【選択図】図１２
0003202887.tif 000002
【実用新案登録請求の範囲】
【請求項１】
物品出し入れ用の開口部を有するポーチ本体を備え、
前記ポーチ本体は、オープンファスナーを構成するスライダー付きのファスナー片と、オープンファスナーを構成する蝶棒付きのファスナー片と、を備え、
前記ポーチ本体は、オープンファスナーを有する別の連結型ポーチと連結可能であり、
前記別の連結型ポーチとの連結の態様は、
前記スライダーに別の連結型ポーチの蝶棒が差し込まれて形成される態様と、
前記蝶棒が別の連結型ポーチのスライダーに差し込まれて形成される態様と、を有する
ことを特徴とする連結型ポーチ。
【請求項２】
請求項１に記載の連結型ポーチにおいて、
前記ポーチ本体における二つの端辺の内の一方の端辺と他方の端辺のそれぞれに、前記スライダー付きのファスナー片と前記蝶棒付きのファスナー片とを備える
ことを特徴とする連結型ポーチ。
【請求項３】
請求項１に記載の連結型ポーチにおいて、
矩形状に形成された前記ポーチ本体の一の端辺側に前記開口部を備え、
前記開口部を挟んだ一方の端辺に、前記スライダー付きのファスナー片を備え、
前記開口部を挟んだ他方の端辺に、前記蝶棒付きのファスナー片を備える
ことを特徴とする連結型ポーチ。
【請求項４】
請求項１から３のいずれかに記載の連結型ポーチにおいて、
前記ポーチ本体は、オープンファスナーを有する支持用バンドと連結可能であり、
前記支持用バンドとの連結の態様は、
前記スライダーに前記支持用バンドの蝶棒が差し込まれ、前記蝶棒が前記支持用バンドのスライダーに差し込まれることによって形成される
ことを特徴とする連結型ポーチ。
【請求項５】
請求項４に記載の連結型ポーチにおいて、
前記ポーチ本体は、別の連結型ポーチとの連結状態で、支持用バンドと連結可能であり、
前記支持用バンドとの連結の態様は、
前記ポーチ本体または別の連結型ポーチのいずれか一方の前記スライダーに前記支持用バンドの蝶棒が差し込まれ、前記ポーチ本体または別の連結型ポーチのいずれか他方の前記蝶棒が前記支持用バンドのスライダーに差し込まれることによって形成される
ことを特徴とする連結型ポーチ。
【請求項６】
請求項１から５のいずれかに記載の連結型ポーチにおいて、
前記ポーチ本体は、オープンファスナーを有する鞄やその他の被連結物と連結可能であり、
前記鞄との連結の態様は、前記スライダーに前記鞄に備えられる蝶棒が差し込まれ、前記蝶棒が前記鞄に備えられるスライダーに差し込まれることによって形成される
ことを特徴とする連結型ポーチ。
【請求項７】
請求項１から５のいずれかに記載の連結型ポーチにおいて、
前記ポーチ本体は、前記スライダー付きのファスナー片又は前記蝶棒付きのファスナー片のいずれかを有する鞄やその他の被連結物と連結可能であり、
前記鞄との連結の態様は、前記スライダーに前記鞄に備えられる蝶棒が差し込まれて形成されるか、又は、前記蝶棒が前記鞄に備えられるスライダーに差し込まれることによって形成される
ことを特徴とする連結型ポーチ。
【請求項８】
請求項１から７のいずれかに記載の連結型ポーチと連結可能な、オープンファスナーを有する支持用バンド。
【請求項９】
請求項１から７のいずれかに記載の連結型ポーチと連結可能な、スライダー付きのファスナー片または蝶棒付きのファスナー片のいずれかを有する連結型ポーチ。
【請求項１０】
請求項１から７のいずれかに記載の連結型ポーチと連結可能な、オープンファスナー、スライダー付きのファスナー片、蝶棒付きのファスナー片のいずれかを有する鞄。
【請求項１１】
請求項１から７のいずれかに記載の連結型ポーチと連結可能な、オープンファスナー、スライダー付きのファスナー片、蝶棒付きのファスナー片のいずれかを有する被連結物。
【考案の詳細な説明】
【技術分野】
【０００１】
本考案は、タブレットやスマートフォンなどの端末機器やその他の物品を収納して持ち運ぶのに好適な連結型ポーチに関する。
【背景技術】
【０００２】
各種の物品を収納して持ち運ぶ携帯用グッズとしては、例えば、特許文献１に示されているように、独立して使用可能な２個のバッグをファスナーを用いて一体連結して使用できるようにしたものが提案されている。
【先行技術文献】
【特許文献】
【０００３】
【特許文献１】特開２００２−１４２８３０号公報（５頁〜６頁，図５，図６）
【考案の概要】
【考案が解決しようとする課題】
【０００４】
しかしながら、従来の携帯用グッズでは、２個のバッグの連結位置が一箇所に決まっており、一通りの連結形態でしか使用できないものであった。
【０００５】
本考案は、このような事情に鑑みてなされたものであって、独立して使用する形態と、連結して使用する形態とを選択できるのみならず、連結して使用する形態のバリエーションが豊富な連結型ポーチ、連結型ポーチと連結可能な支持用バンド，鞄，被連結物を提供することを目的とする。
【課題を解決するための手段】
【０００６】
上記目的を達成するために、本考案では次のように構成している。
【０００７】
（１）本考案に係る連結型ポーチは、物品出し入れ用の開口部を有するポーチ本体を備え、ポーチ本体は、オープンファスナーを構成するスライダー付きのファスナー片と、オープンファスナーを構成する蝶棒付きのファスナー片と、を備え、ポーチ本体は、オープンファスナーを有する別の連結型ポーチと連結可能であり、別の連結型ポーチとの連結の態様は、スライダーに別の連結型ポーチの蝶棒が差し込まれて形成される態様と、蝶棒が別の連結型ポーチのスライダーに差し込まれて形成される態様と、を有することを特徴とする。
【０００８】
この構成によれば、ポーチ本体を独立して使用する形態と、別の連結型ポーチと連結して使用する形態とを選択できる。別の連結型ポーチと連結して使用する場合は、ポーチ本体のスライダー側に別の連結型ポーチを連結する形態と、ポーチ本体の蝶棒側に別の連結型ポーチを連結する形態とを選択できる。したがって、独立して使用する形態と、連結して使用する形態とを選択できるのみならず、連結して使用する形態のバリエーションが豊富な連結型ポーチを提供できる。また、連結型ポーチの連結位置を使用者の好みに合わせることができる。また、連結手段としてオープンファスナーが用いられるので、デザイン的にも優れ、且つ、容易に着脱できる。
【０００９】
（２）上記（１）に記載の連結型ポーチは、ポーチ本体における二つの端辺の内の一方の端辺と他方の端辺のそれぞれに、スライダー付きのファスナー片と蝶棒付きのファスナー片とを備えてもよい。この構成によれば、別の連結型ポーチと連結して使用する場合に、全体としてまとまりが良くなる。
【００１０】
（３）上記（１）に記載の連結型ポーチは、矩形状に形成されたポーチ本体の一の端辺側に前記開口部を備え、開口部を挟んだ一方の端辺に、スライダー付きのファスナー片を備え、開口部を挟んだ他方の端辺に、蝶棒付きのファスナー片を備えてもよい。この構成によれば、別の連結型ポーチと連結して使用する場合に、開口部を挟んで、ポーチ本体と別の連結型ポーチが直線的に並んで配されるので、全体としてまとまりがさらに良くなる。また、開口部と連結箇所とが離れるので、物品の出し入れや、オープンファスナーの開け閉めを円滑に行える。
【００１１】
（４）上記（１）から（３）のいずれかに記載の連結型ポーチは、ポーチ本体がオープンファスナーを有する支持用バンドと連結可能であってもよい。この場合、支持用バンドとの連結の態様は、スライダーに支持用バンドの蝶棒を差し込まれ、蝶棒が支持用バンドのスライダーに差し込まれることによって形成される。この構成によれば、ショルダーバッグ，ウェストバック，ハンドバッグなどとしての使用態様も加わるので、連結して使用する形態のバリエーションがさらに豊富になる。
【００１２】
（５）上記（４）に記載の連結型ポーチは、ポーチ本体が別の連結型ポーチとの連結状態で支持用バンドと連結可能であってもよい。この場合、支持用バンドとの連結の態様は、ポーチ本体または別の連結型ポーチのいずれか一方のスライダーに支持用バンドの蝶棒が差し込まれ、ポーチ本体または別の連結型ポーチのいずれか他方の蝶棒が支持用バンドのスライダーに差し込まれることによって形成される。この構成によれば、別の連結型ポーチと連結した状態でも、ショルダーバッグ，ウェストバック，ハンドバッグなどとして使用できるので、連結して使用する形態のバリエーションがさらに豊富になる。
【００１３】
（６）上記（１）から（５）に記載の連結型ポーチは、ポーチ本体がオープンファスナーを有する鞄やその他の被連結物と連結可能であってもよい。この場合、例えば鞄との連結の態様は、連結型ポーチのスライダーに、鞄に備えられる蝶棒が差し込まれ、連結型ポーチの蝶棒が、鞄に備えられるスライダーに差し込まれることによって形成される。この構成によれば、鞄に連結する使用態様も加わり、連結して使用する形態のバリエーションがさらに豊富になる。また、連結型ポーチの両側が鞄に連結されるので、連結型ポーチをしっかりと持ち運ぶことができる。
【００１４】
（７）上記（１）から（５）に記載の連結型ポーチは、ポーチ本体が、スライダー付きのファスナー片又は前記蝶棒付きのファスナー片のいずれかを有する鞄やその他の被連結物と連結可能であってもよい。この場合、例えば鞄との連結の態様は、連結型ポーチのスライダーに、鞄に備えられる蝶棒が差し込まれて形成されるか、又は、連結型ポーチの蝶棒が、鞄に備えられるスライダーに差し込まれることによって形成される。この構成によれば、連結型ポーチのいずれか片側を鞄に連結するだけでよいので、連結型ポーチの着脱が容易になる。
【００１５】
（８）本考案に係る支持用バンドは、上記（１）から（８）のいずれかに記載の連結型ポーチと連結可能なオープンファスナーを有することを特徴とする。この構成によれば、連結型ポーチの使用形態のバリエーションを豊富にできる。
【００１６】
（９）本考案に係る別の連結型ポーチは、上記（１）から（８）のいずれかに記載の連結型ポーチと連結可能な、スライダー付きのファスナー片または蝶棒付きのファスナー片のいずれかを有する。このような構成によっても、上記（１）から（８）のいずれかに記載の連結型ポーチは、スライダー付きのファスナー片のみ備える別の連結型ポーチを一の端辺側に連結する形態と、蝶棒付きのファスナー片のみを備える別の連結型ポーチを他の端辺側に連結する形態とを採ることができる。
【００１７】
（１０）本考案に係る鞄は、上記（１）から（８）のいずれかに記載の連結型ポーチと連結可能な、オープンファスナー、スライダー付きのファスナー片、蝶棒付きのファスナー片のいずれかを有することを特徴とする。この構成によれば、連結型ポーチの使用形態のバリエーションを豊富にできる。
【００１８】
（１１）本考案に係る被連結物は、上記（１）から（８）のいずれかに記載の連結型ポーチと連結可能な、オープンファスナー、スライダー付きのファスナー片、蝶棒付きのファスナー片のいずれかを有することを特徴とする。この構成によれば、連結型ポーチの使用形態のバリエーションを豊富にできる。
【考案の効果】
【００１９】
このように、本考案によれば、独立して使用する形態と、連結して使用する形態とを選択できるのみならず、連結して使用する形態のバリエーションが豊富な連結型ポーチと、当該連結型ポーチと連結可能な支持用バンド，鞄，被連結物を提供することができる。
【図面の簡単な説明】
【００２０】
【図１】第１連結型ポーチの正面側から見た斜視図である。
【図２】第１連結型ポーチの開口部開放状態を示す斜視図である。
【図３】第１連結型ポーチの正面図である。
【図４】第１連結型ポーチの背面図である。
【図５】第１連結型ポーチの（ａ）平面図と（ｂ）底面図である。
【図６】第１連結型ポーチの（ａ）左側面図と（ｂ）右側面図である。
【図７】第２連結型ポーチの正面側から見た斜視図である。
【図８】第２連結型ポーチの正面図である。
【図９】第２連結型ポーチの背面図である。
【図１０】第２連結型ポーチの（ａ）平面図と（ｂ）底面図である。
【図１１】第２連結型ポーチの（ａ）左側面図と（ｂ）右側面図である。
【図１２】連結型ポーチ連結形態の一例を示す正面図である。
【図１３】連結型ポーチ連結形態の他の例を示す正面図である。
【図１４】第１連結型ポーチとこれに連結可能なショルダーバンドの正面図である。
【図１５】（ａ）は第１連結型ポーチと連結した鞄の正面図であり、（ｂ）は第１連結型ポーチを分離した鞄の正面図である。
【図１６】（ａ）は第２連結型ポーチと連結した鞄の正面図であり、（ｂ）は第２連結型ポーチを分離した鞄の正面図である。
【図１７】第１連結型ポーチと別の第２連結型ポーチとの連結形態を示す正面図である。
【図１８】第１連結型ポーチと別の第２連結型ポーチとの他の連結形態を示す正面図である。
【考案を実施するための形態】
【実施例１】
【００２１】
以下、本考案の実施例を図面に基づいて説明する。
【００２２】
本考案に係る連結型ポーチは、単独で使用するのみならず、複数個の同種または異種の連結型ポーチを複数の態様で連結して使用できる点に特徴があり、図１〜図６に第１連結型ポーチ１が、また、図７〜図１１に、前記第１連結型ポーチ１に連結可能な第２連結型ポーチ２がそれぞれ示されている。
【００２３】
第１連結型ポーチ１は、矩形状にされ、形成複数枚の布パーツを縫合して上端辺に開口部４を有する横長矩形の袋状に形成されたポーチ本体３の左右端辺に、接合及び分離可能なオープンファスナー５が装着された構造となっている。すなわち、オープンファスナー５は、スライダー５ｃを備えたファスナー片５ａと、スライダー５ｃ及び他のスライダーに差し込み可能な蝶棒５ｄを備えたファスナー片５ｂとからなり、スライダー５ｃ付きのファスナー片５ａがポーチ本体３の左端辺に沿って縫い付けられるとともに、蝶棒５ｄ付きのファスナー片５ｂがポーチ本体３の右端辺に沿って縫い付けられている。
【００２４】
ポーチ本体３は、タブレット端末機器を横長姿勢に収納できる大きさ（例えば、横幅約２５０ｍｍ、上下高さ約１８０ｍｍ、厚さ１０数ｍｍ）の収納ポケットを備えたものに形成されている。
【００２５】
ポーチ本体３の上端には、開口部４の全幅に亘るカバー部３ａが延出されており、このカバー部３ａをケース前面側に折り重ねることで開口部４を塞ぐことができるようになっている。また、カバー部３ａの内面左右には面ファスナー片６ａが縫い付けられており、この面ファスナー片６ａを、ポーチ本体３の前外側面に縫付けた横長の面ファスナー帯６ｂに重合接続することでカバー部３ａを折重ね状態に保持することができ、また、接続した面ファスナー片６ａを面ファスナー帯６ｂから引き剥がしてカバー部３ａをめくり上げて開口部４を開くようになっている。開口部４の塞ぐ手段は、面ファスナー６ａ以外のフックやボタンが縫い付けられたカバー部３ａであってもよいし、開口部４をファスナーで綴じ合わせる構成であってもよい。
【００２６】
ポーチ本体３の裏側には、扁平な外ポケット７が備えられており、厚さが大きくない物品を収納することができるようになっている。
【００２７】
第２連結型ポーチ２は、第１連結型ポーチ１と同じ布素材を縫製されているが、第１連結型ポーチ１とは大きさと形状が異なり、外周上半部分にガマ口形の開口部９を有する縦長矩形の袋状に形成されたポーチ本体８の左右端辺にオープンファスナー１０が装着された構造となっている。このオープンファスナー１０は、第１連結型ポーチ１に備えたオープンファスナー５と同一の仕様のものであり、スライダー１０ｃを備えたファスナー片１０ａがポーチ本体８の左端辺に沿って縫い付けられるとともに、蝶棒１０ｄを備えたファスナー片１０ｂがポーチ本体８の右端辺に沿って縫い付けられている。
【００２８】
ポーチ本体８は、スマートフォンや携帯電話を縦向き姿勢に収納できる大きさ（例えば、横幅約１００ｍｍ、上下高さ約１８０ｍｍ、厚さ１０数ｍｍ）の収納ポケットを備えたものに形成されている。
【００２９】
開口部９はファスナー１１によって開閉できようになっている。このファスナー１１は、一対のスラーダー１１ａ，１１ｂを備えたものが用いられており、任意の方向から任意の範囲で開口部９を開閉することができる。開口部９の塞ぐ手段は、開口部４と同様に他の構成であってもよい。
【００３０】
第２連結型ポーチ２における背面には取付けバンド１２が縦向きに備えられている。この取付けバンド１２は、その上端部がポーチ本体８における裏面の上部に縫付け固定され、下端側は自由になっており、取付けバンド１２の下端部をケース背面に雌雄一対のホックからなるスナップボタン１３を介して連結することでループを形成することができるようになっている。そして、ユーザーの腰に巻き付けられたベルトの適所に取付けバンド１２を通してループ状にホック止めすることで、第２連結型ポーチ２をウエストポーチとして使用することができる。
【００３１】
第１連結型ポーチ１及び第２連結型ポーチ２は、手で持って使用したり、ベルトにつるして使用したり、単独で使用することができるとともに、両連結型ポーチ１，２を以下のように連結して使用することができる。
【００３２】
例えば、図１２に示すように、第２連結型ポーチ２における右側のファスナー片１０ｂと第１連結型ポーチ１における左側のファスナー片５ａとを対向させて、蝶棒１０ｄをスライダー５ｃに差し込んだ状態でスライダー５ｃを引き上げることで、第２連結型ポーチ２を第１連結型ポーチ１の左側端辺に沿って連結することができる。また、図１３に示すように、第２連結型ポーチ２における左側のファスナー片１０ａと第１連結型ポーチ１における右側のファスナー５ｂとを対向させて、蝶棒５ｄをスライダー１０ｃに差し込んだ状態で、スライダー１０ｃを引き上げることで、第２連結型ポーチ２を第１連結型ポーチ１の右側端辺に沿って連結することができる。このように構成することで、両連結型ポーチ１，２の連結位置を使用者の好みに合わせることができる。
【００３３】
第１連結型ポーチ１を２個用意すれば、第１連結型ポーチ１の左右端辺それぞれに第１連結型ポーチ１を連結することも可能となる。この場合、例えば、一方の第１連結型ポーチ１にはタブレット端末機器を収納し、他方の第１連結型ポーチ１を本やノートの収納具として使用することができる。また、第２連結型ポーチ２を２個用意すれば、第２連結型ポーチ２の左右端辺それぞれに第２連結型ポーチ２を連結することも可能となる。この場合、例えば、一方の第２連結型ポーチ２にはスマートフォンや携帯電話を収納し、他方の第２連結型ポーチ２をメガネケースやペンケースや財布ケースとして使用することができる。なお、第２連結型ポーチ２がメガネケースやペンケースや財布そのものであっても構わない。
【００３４】
なお、第１連結型ポーチ１及び第２連結型ポーチ２の各オープンファスナーは、ポーチ本体の厚さ方向の裏面側に偏って縫い付けられており、両連結型ポーチ１，２をファスナー連結した状態では、ファスナー連結部位がポーチ本体の膨らみに隠されて、ケース表面側からは目立たない状態となる。
【実施例２】
【００３５】
本実施例では、図１４に示すように、第１連結型ポーチ１は、第１連結型ポーチ１に備えたオープンファスナー５と同仕様のオープンファスナー１５のスライダー１５ｃ付きのファスナー片１５ａと、蝶棒１５ｄ付きのファスナー片１５ｂとを両端側に備えた支持用バンド１６と連結及び分離される構成となっている。
【００３６】
図１４では、第１連結型ポーチ１を支持する支持部は、一点鎖線で図示している。支持用バンド１６の蝶棒１５ｄ，スライダー１５ｃを第１連結型ポーチ１の対応するスライダー５ｃ，蝶棒５ｄに嵌合してスライダー５ｃ，１５ｃを引き上げ操作することで、第１連結型ポーチ１をショルダーバッグやウェストバッグとして使用することができる。
【００３７】
支持用バンド１６は、第２連結型ポーチ２に備えたオープンファスナー１０とも同一仕様であるので、第２連結型ポーチ２をショルダーバッグやウェストバッグとして使用することもできる。また、支持用バンド１６は、第１連結型ポーチ１同士や、第２連結型ポーチ２同士や、第１連結型ポーチ１と第２連結型ポーチ２などの連結態様でも、支持用バンド１６と連結可能である。このような連結態様でもショルダーバッグやウェストバッグとして使用できる。
【００３８】
具体的には、第１連結型ポーチ１の右側に第２連結型ポーチ２が連結される場合に、ショルダーバンド１６の蝶棒１５ｄ，スライダー１５ｃを第１連結型ポーチ１の対応するスライダー５ｃ，第２連結型ポーチ２の対応する蝶棒１０ｄに嵌合してスライダー５ｃ，１５ｃを引き上げ操作することで、第１連結型ポーチ１と第２連結型ポーチ２とを連結したポーチもショルダーバッグやウェストバッグなどになる。
【実施例３】
【００３９】
実施例１，２では、第１連結型ポーチ１は、手で持たれたり（鞄の中に収納されたり）、支持用バンドで肩などからぶら下げられたりするものであったが、これに加えて、本実施例では、第１連結型ポーチ１は、図１５に示すように、オープンファスナー１８を外面に有する鞄１７に連結される。
【００４０】
鞄１７には、鞄１７の正面のうち右端辺側にスライダー１８ｃ付きのファスナー片１８ａが備えられ、鞄１７の正面のうち左端辺側に蝶棒１８ｄ付きのファスナー片１８ｂが備えられている。第１連結型ポーチ１と鞄１７との連結の態様は、第１連結型ポーチ１のスライダー５ｃに、鞄１７の蝶棒１８ｄが差し込まれ、第１連結型ポーチ１の蝶棒５ｄが鞄１７のスライダー１８ｃに差し込まれることによって形成される。
【００４１】
なお、本実施例では、第１連結型ポーチ１は、鞄１７の外側に連結されたが、鞄１７の内側に連結されてもよい。また、鞄１７は、第１連結型ポーチ１と連結されたが、第２連結型ポーチ２とが連結されてもよい。この場合、両ファスナー片１８ａ，１８ｂの配置間隔を狭くする。また、鞄１７は、連結された両連結型ポーチ１，２と連結されてもよい。この場合、鞄１７は、本実施例のものよりも横幅が広く、両ファスナー片１８ａ，１８ｂの配置間隔も広くする。また、第１連結型ポーチ１または第２連結型ポーチ２は、オープンファスナー１８を外面または内面に有する鞄以外の被連結物に連結されてもよい。
【実施例４】
【００４２】
実施例２の鞄１７は、スライダー付きのファスナー片１８ａ，蝶棒付きのファスナー片１８ｂの両方を備える構成であったが、本実施例では、図１６に示すように、スライダー付きのファスナー片１８ａまたは蝶棒付きのファスナー片１８ｂのいずれか一方（図１６では蝶棒付きのファスナー片１８ｂ）のみを備える構成であって、第２連結型ポーチ２が連結される。
【００４３】
本実施例の鞄１９は、鞄１９の正面のうち上端辺側に蝶棒１８ｄ付きのファスナー片１８ｂを備えている。第２連結型ポーチ２と鞄１９との連結の態様は、第２連結型ポーチ２のスライダー１０ｃに図１６（ｂ）に示す鞄１９の蝶棒１８ｄが差し込まれ、図１６（ａ）に示すようにスライダー１０ｃを閉じる操作を行うことで形成される。
【００４４】
なお、本実施例では、第２連結型ポーチ２は、鞄１９の外側に連結されたが、鞄１７の内側に連結されてもよい。また、本実施例では、鞄１９は、第２連結型ポーチ２と連結されたが、鞄１９の大きさや形状が変われば、第１連結型ポーチ１とも連結可能であり、連結された両連結型ポーチ１，２とも連結可能である。また、第１連結型ポーチ１または第２連結型ポーチ２は、スライダー付きのファスナー片１８ａまたは蝶棒付きのファスナー片１８ｂのいずれか一方を外面または内面に有する鞄以外の被連結物に連結されてもよい。
【実施例５】
【００４５】
上述した実施例では、第１連結型ポーチ１は、ファスナー片５ａ，５ｂ両方を備え、第１連結型ポーチ１に連結される第２連結型ポーチ２は、ファスナー片１０ａ，１０ｂ両方を備える構成であったが、図１７，図１８に示すように、第１連結型ポーチ１がファスナー片５ａ，５ｂ両方を備えていれば、第２連結型ポーチ２は、ファスナー片１０ａ，１０ｂのいずれか片方のみを備える構成であってもよい。
【００４６】
図１７，１８に示す第１連結型ポーチ１は、スライダー５ｃ付きのファスナー片５ａと、蝶棒５ｄ付きのファスナー片５ｂとを備えている。図１７に示す、第２連結型ポーチ２とは別の第２連結型ポーチ２Ａは、ポーチ本体８の右端辺に蝶棒１０ｄ付きファスナー片１０ｂのみを備える。図１８に示す第２連結型ポーチ２Ｂは、ポーチ本体８の左端辺にスライダー１０ｃ付きファスナー片１０ａのみを備える。
【００４７】
このような構成であっても、第１連結型ポーチ１は、第２連結型ポーチ２Ａを左端辺側のファスナー片５ａを介して連結する形態と、第２連結型ポーチ２Ｂを右端辺側のファスナー片５ｂを介して連結する形態との両方の連結形態を採ることができる。
【００４８】
本考案は、以下のような形態で実施することもできる。
【００４９】
（１）横幅の大きい第１連結型ポーチ１を左右中央で二つ折りして、左右端辺のファスナー片同士５ａ，５ｂを連結すれば、使用しない連結型ポーチ１を嵩低く折畳んでおくことができる。
【００５０】
（２）上記実施例のように、第２連結型ポーチ２の上下高さを第１連結型ポーチ１の上下高さと略同一にしておくことで、連結した際に両ケース１，２の高さが揃って見栄えがよいものとなるが、第２連結型ポーチ２の上下高さと第１連結型ポーチ１の上下高さと異なったものにして実施することも可能である。
【００５１】
（３）第１連結型ポーチ１，第２連結型ポーチ２として、横幅の異なる複数種を提供できるようにしておき、ユーザーが第１連結型ポーチ１と第２連結型ポーチ２とを任意の組合せで連結して使用できるようにしてもよい。
【００５２】
（４）第１及び第２連結型ポーチ１，２の素材としては、布材のみならず、天然皮革、人口皮革、樹脂シート、樹脂コーティングした布材、等を任意に設定することができ、また、素材の色味や柄も任意に設定することができる。
【００５３】
（５）第１連結型ポーチ１と第２連結型ポーチ２とを互いに異なった素材、色味、柄のもので構成して、連結した場合の外観を一層バラエティに富んだものにして使用することも可能である。また、第１連結型ポーチ１と第２連結型ポーチ２の形状は、矩形状に限らず、矩形と半円形とを足した様な形状や円筒形の他にも、何らかの立体的な形状をもったケース（容器，収納体）であればよい。
【００５４】
（６）開口部４は、必ずしもポーチ本体の上端辺に形成するとは限らず、例えば、ポーチ本体３における前面上部に、横引きのファスナーを介して開閉される開口部を設けることもできる。また、例えば、ポーチ本体３における左側面または右側面に縦引きのファスナーを介して開閉される開口部を設けることもできる。この場合、ファスナー片５ａ，５ｂの横から物品を出し入れする構成となる。
（７）第１連結型ポーチ１，第２連結型ポーチ２は、ポーチ本体３，８の左右両端辺にファスナー片５ａ，５ｂ，１０ａ，１０ｂを備えて、横並びに連結されるが、ポーチ本体３，８の上下両端辺にファスナー片５ａ，５ｂ，１０ａ，１０ｂを備えて、縦並びに連結されてもよい。また、ファスナー片５ａ，５ｂ，１０ａ，１０ｂは、ポーチ本体３，８の形状に応じて他の端辺に備えられてもよい。
【００５５】
（８）上記実施例では、第２連結型ポーチ２の裏面に備えた取付けバンド１２の一端をスナップボタン１３を介して開閉可能にして、ユーザーが装着したベルトに後から挿通装着できるようにしているが、取付けバンド１２の上下端部をポーチ本体８にループ状に縫い付け固定したものであってもよい。この場合、ズボンなどにベルトを通す際に、ベルトを取付けバンド１２のループに挿通する必要がある。また、第１連結型ポーチ１の裏面にも、第２連結型ポーチ２と同じ上下位置に取付けバンド１２を備えてもよい。
【００５６】
（９）上記実施例では、２個の連結型ポーチを並列連結する場合を例示しているが、３個以上の連結型ポーチを左右に並列して順次連結することも可能である。
【００５７】
（１０）第１連結型ポーチ１及び第２連結型ポーチ２に備える連結手段としては、オープンファッスナーの他に、面ファスナーやフックやスナップボタンなどを利用してもよい。
【符号の説明】
【００５８】
１            第１連結型ポーチ
２            第２連結型ポーチ
３            第１連結型ポーチのポーチ本体
４            第１連結型ポーチの開口部
５            オープンファスナー
５ａ          ファスナー片
５ｂ          ファスナー片
５ｃ          スライダー
５ｄ          蝶棒
８            第２連結型ポーチのポーチ本体
９            第２連結型ポーチの開口部
１０          オープンファスナー
１０ａ        ファスナー片
１０ｂ        ファスナー片
１０ｃ        スライダー
１０ｄ        蝶棒
１２          取付けバンド
１５          オープンファスナー
１６          支持用バンド
【図１】
0003202887.tif 000003
【図２】
0003202887.tif 000004
【図３】
0003202887.tif 000005
【図４】
0003202887.tif 000006
【図５】
0003202887.tif 000007
【図６】
0003202887.tif 000008
【図７】
0003202887.tif 000009
【図８】
0003202887.tif 000010
【図９】
0003202887.tif 000011
【図１０】
0003202887.tif 000012
【図１１】
0003202887.tif 000013
【図１２】
0003202887.tif 000014
【図１３】
0003202887.tif 000015
【図１４】
0003202887.tif 000016
【図１５】
0003202887.tif 000017
【図１６】
0003202887.tif 000018
【図１７】
0003202887.tif 000019
【図１８】
0003202887.tif 000020